(57)【特許請求の範囲】
【請求項１】
襟部の上端に眼鏡の一方のテンプルの根元部分を引っ掛け、当該一方のテンプルが前記襟部の内側に収容され、かつ、当該一方のテンプル以外の部分が前記襟部の外側に配置された状態で前記眼鏡を保持可能な上衣であって、
前記襟部の内面側に設けられ、前記眼鏡の一方のテンプルを入口側開口部から出口側開口部へと挿通可能な挿通孔を有する保持部材を備え、
前記保持部材の前記出口側開口部は、前記入口側開口部より狭く形成され、前記襟部の上端から所定距離離れた位置に配置されており、
前記保持部材の入口側開口部側の端部の全体が、前記襟部と前身頃との境界部分に沿って、前記襟部と前記前身頃と共に同一の縫い目により前記襟部に縫い付けられていることを特徴とする、上衣。
【請求項２】
Ｖ字状の襟部を有する上衣において、
前記Ｖ字状の襟部の内面側に、前記Ｖ字状の襟部の先端部を除いた部分に重ね合わせて縫い合わされる保持部材を設け、
前記Ｖ字状の襟部の先端部を除き、前記Ｖ字状の襟部と前身頃との境界部分に沿って、前記保持部材を前記襟部に縫い付けることによって、前記Ｖ字状の襟部と前記保持部材との間に、被保持物を入口側開口部から出口側開口部へと挿通可能な挿通孔が形成されていることを特徴とする、上衣。
【請求項３】
前記保持部材は、弾性力のある材料で形成されることを特徴とする、請求項１または２に記載の上衣。
【発明の詳細な説明】
【技術分野】
【０００１】
本発明は、デザイン性を損なわず、眼鏡等を安定的に保持できる保持部材を設けた上衣に関するものである。
【背景技術】
【０００２】
サングラスや老眼鏡などの頻繁に着脱を行う眼鏡は、外したあと、常時手近なところに置いておきたいが、ズボンのポケットに入れた場合には破損したり変形したりする虞があるので、シャツ等の上衣の胸元に設けられたポケットや上衣の襟元等に、テンプル部を引っ掛けた状態で眼鏡を保持することがある。また、上衣にポケットがない場合でも眼鏡を引っ掛けることができるように構成した例として、例えば特許文献１及び２に記載されたものがある。特許文献１では、上衣の胸元に帯状の引っ掛け体を設ける構成が開示されている。特許文献２では、上衣の胸元に眼鏡のテンプルを差し込む穴を設ける方法が開示されている。
【先行技術文献】
【特許文献】
【０００３】
【特許文献１】特開平１１−１８０６号公報
【特許文献２】特開平１１−１２４７１５号公報
【発明の概要】
【発明が解決しようとする課題】
【０００４】
外した眼鏡を上衣に設けたポケットや襟元に引っ掛けた場合、かがんだときなどに眼鏡を落としやすいという問題があり、外した眼鏡を安定して保持できるとは言えない。また、特許文献１及び２に記載の方法では、上衣のデザイン性を損ねるという問題がある。
【０００５】
本発明の目的は、上衣のデザイン性を損ねることなく、眼鏡等を安定して保持することができる保持部材を設けたシャツの上衣を提供することである。
【課題を解決するための手段】
【０００６】
襟部の上端に眼鏡の一方のテンプルの根元部分を引っ掛け、当該一方のテンプルが襟部の内側に収容され、かつ、当該一方のテンプル以外の部分が襟部の外側に配置された状態で眼鏡を保持可能な上衣であって、襟部の内面側に設けられ、眼鏡の一方のテンプルを入口側開口部から出口側開口部へと挿通可能な挿通孔を有する保持部材を備え、保持部材の出口側開口部は、入口側開口部より狭く形成され、襟部の上端から所定距離離れた位置に配置されており、保持部材の入口側開口部側の端部の全体が、襟部と前身頃との境界部分に沿って、襟部と前身頃と共に同一の縫い目により襟部に縫い付けられている
【０００７】
Ｖ字状の襟部を有する上衣において、Ｖ字状の襟部の内面側に、Ｖ字状の襟部の先端部を除いた部分に重ね合わせて縫い合わされる保持部材を設け、Ｖ字状の襟部の先端部を除き、Ｖ字状の襟部と前身頃との境界部分に沿って、保持部材を襟部に縫い付けることによって、Ｖ字状の襟部と保持部材との間に、被保持物を入口側開口部から出口側開口部へと挿通可能な挿通孔が形成されている。
【０００８】
保持部材は、弾性力のある材料で形成することが好ましい。
【発明の効果】
【０００９】
本発明によれば、上衣のデザイン性を損ねずに、眼鏡等を安定に保持することができる上衣を提供することができる。
【図面の簡単な説明】
【００１０】
【図１】第１の実施形態に係る上衣の正面図
【図２】図１に示した上衣の襟元付近を裏側から見た図
【図３】第２の実施形態に係る上衣の襟元付近を裏側から見た図
【図４】第２の実施形態に係る保持部材の形成方法を示す図
【図５】第３の実施形態に係る上衣の襟元付近を裏側から見た図
【発明を実施するための形態】
【００１１】
（第１の実施形態）
図１は、第１の実施形態に係る上衣１の正面図であり、図２は、図１に示した上衣１の首元付近を裏側から見た図である。
【００１２】
上衣１は、前身頃３の襟元裏側に眼鏡２のテンプル等を襟元側にある入口側開口部６から裾側にある出口側開口部７へと挿通可能な挿通孔を有する保持部材４が設けられている点に特徴を有する。以下、保持部材４を上衣１に設ける方法の具体例を説明するが、保持部材４を上衣１に設ける方法は以下に限定されるものではない。
【００１３】
図２に示すように、保持部材４は、前側及び内側の２枚の布を重ね合わせ、側端部を縫い付け糸５で縫い合わせることによって構成される。保持部材４は、襟部８と前身頃３との縫い合わせと同時に襟部８と前身頃３との境界部分に縫い合わせることによって、襟元に取り付けられている。保持部材４を構成する前側及び内側の２枚の布は、側端部同士が縫い付け糸５で縫い付けられているが、前側及び内側の２枚の布の横断方向（図２における左右方向）には縫い付けられていないため、眼鏡２のテンプル等が挿通可能に開口されている。また、保持部材４は、入口側開口部６と出口側開口部７とを有し、入口側開口部６よりも出口側開口部７の方が狭まるように形成されている。尚、保持部材４の出口側開口部７は、眼鏡２のテンプル等の被保持物を挿入可能な大きさを有していれば良く、入口側開口部６は、被保持物の挿入をしやすい大きさを有していれば良い。
【００１４】
このようにして設けた保持部材４に眼鏡２のテンプルを差し込めば、前屈みになるなどして眼鏡２が脱落しようとした場合でも、眼鏡２のテンプルの先セルが保持部材４の出口側開口部７に引っ掛かるため、眼鏡２の脱落を防止できる。よって、本実施形態に係る上衣１によれば、眼鏡２を安定に保持することができる。また、保持部材４は、前身頃３襟元の裏側に設けられているため、眼鏡２を保持部材４に引っ掛けていない状態においても、保持部材４が外見上見えることがないため、上衣１のデザイン性を損なわない。
【００１５】
尚、本実施形態では、保持部材４を半袖のＴシャツの襟元の裏側に設けているが、袖の長さや、襟の形状は限定されない。すなわち、長袖シャツの襟元裏側にも同様に保持部材４を設けることができる。また、丸首、Ｕ首、Ｖ首を初めとする任意の襟形状を有する上衣に保持部材４を設けることができる。さらに、襟元から胸元あるいは裾にかけて、ファスナーや前立てが設けられている上衣に保持部材４を設けてもよく、上衣の種類は特に限定されるものではない。
【００１６】
さらに、本実施形態は、保持部材４を襟元の裏側に設けているが、襟元から胸元あるいは裾にかけて、前立てが設けられている上衣では、前立ての裏側に保持部材４を設けてもよく、保持部材４は少なくとも眼鏡２のテンプルが差し込める場所に設ければよい。また、胸元などにポケットが設けられている上衣では、胸ポケットなどポケットの裏側に保持部材４を設けてもよい。
【００１７】
尚、保持部材４を構成する他の具体例として、１枚の布を横半分に折り、入口側開口部と比べ出口側開口部が狭くなるよう、両側端部を概略斜め方向に縫い付けて構成してもよい。また、大きさの異なる２枚の布を重ね合わせて、２枚の布が重なっている部分において、入口側開口部と比べ出口側開口部が狭くなるよう、両側端部を概略斜め方向に縫い付けて構成してもよい。さらに、１枚の布を概略斜め方向に折り返し、折り目と逆側端部を、入口側開口部と比べ出口側開口部が狭くなるように縫い付けてもよく、保持部材４を構成する方法は特に限定されるものではない。
【００１８】
（第２の実施形態）
図３に第２の実施形態に係る上衣３１の襟元を裏側から見た図を示す。本実施形態に係る上衣３１は、保持部材３４を弾性のある材料で構成した点に特徴を有する。以下、保持部材３４の一例として平ゴムからなる保持部材３４の詳細について説明するが、保持部材３４の材料としては弾性があれば平ゴムに限定されるものではない。
【００１９】
図４に本実施形態に係る保持部材３４の形成方法を示す。まず、図４（ａ）に示すように、帯状の平ゴムの両端部をそれぞれ長手方向と略概直交する矢印の方向に折り返し、図４（ｂ）に示すように折り返した両端部の高さを揃えた状態とする。次に、折り返した平ゴムの両端部を、図３に示すように、上衣３１の前身頃３３と襟部３８との縫い合わせと同時に、前身頃３３及び襟部３８の境界部分に縫い付け糸３５で縫い付けることによって、保持部材３４が形成される。このように平ゴムを折り返した保持部材３４においても、第１の実施形態と同様に、入口側開口部３６及び出口側開口部３７を有し、眼鏡のテンプル等を挿通可能な挿通孔が形成される。さらに入口側開口部３６と比べて出口側開口部３７が狭くなっている。また、保持部材３４における出口側開口部３７の幅の径が小さければ、より眼鏡のテンプル等を安定に保持できるため、前身頃３３の丸首部分裏側に縫い付ける際に折り返した保持部材３４の両側端部を一部重ね合わせた状態で、保持部材３４を上衣に縫い付けることが好ましい。
【００２０】
このようにして設けた保持部材３４に眼鏡のテンプルを差し込むことによって、第１の実施形態と同様に、眼鏡のテンプルの先セルをより安定に保持することができる。特に、平ゴム等の弾性力のある材料で形成する場合、出口側開口部３７近傍の材料が伸縮自在であるので、出口側開口部３７を被保持物の外径より狭くすることによって、被保持物の挿入を妨げることなく、より安定して被保持物を保持することが可能となる。また、平ゴムからなる保持部材３４は、平ゴムの弾性力により、眼鏡を保持部材３４に引っ掛けていない状態においても丸首部分側の入口側開口部３６が開いた状態となるため、眼鏡のテンプル等の挿入がしやすくなっている。また、平ゴムの弾性力により、眼鏡のテンプル等を引き抜いたときに、保持部材３４が裏返った状態になることを防止することができるため、次に眼鏡を保持部材３４に保持させる際に、保持部材３４の裏返りを手で直す等の作業が不要となる。したがって、保持部材３４に対して眼鏡等の着脱を繰り返した場合でも、着脱の容易さが維持される。また、保持部材３４は、前身頃３３の丸首部分の裏側に設けられているため、眼鏡を保持部材３４に引っ掛けていない状態においても、保持部材３４が外見上見えることがないため、上衣３１のデザイン性を損なわない。
【００２１】
さらに、本実施形態では、保持部材３４を丸首部分の裏側に設けているが、襟元から胸元あるいは裾にかけて、前立てが設けられている上衣では、前立ての裏側に保持部材３４を設けてもよく、保持部材３４は少なくとも眼鏡のテンプルが差し込める場所に設ければよい。
【００２２】
また、図４（ａ）及び（ｂ）の例のように、保持部材３４の両側端部の折り返し角度を小さくした場合（例えば、４５度程度にした場合）、入口側開口部３６の寸法を大きくとることができるので、被保持物の挿入を容易にすることができる。
【００２３】
さらに、保持部材３４の両端部を折り返して端縁部分を重ね合わせ、当該重ね合わせた部分（図４（ｂ）の４８部分）を、縦断する方向（図４における上下方向）に縫い合わせても良い。重なり部分を縫い合わせることによって、出口側開口部３７の大きさを被保持物の大きさに合わせて調節し、被保持物を安定に保持可能な保持部材３４を構成できる。
【００２４】
また、図４（ｃ）に示すように、保持部材３４の両側端部の折り返し角度を大きくし（例えば、６０度程度）、図４（ｄ）に示すように、保持部材３４を略三角形の三重構造としても良い。このように構成した場合、保持部材３４の挿通孔に挿入した被保持物を引き抜く場合に、三重構造を構成する最も外側の部分（図４（ｄ）の紙面に直交する方向において最も紙面上方側の部分）が、引き抜かれる被保持物が保持部材３４を裏返そうとする力に抗して、出口側開口部３７を引っ張る。したがって、図４（ｄ）の構成によれば、保持部材３４の形態を安定化させ、保持部材３４の裏返りを更に効果的に抑制することができる。
【００２５】
（第３の実施形態）
図５に第３の実施形態に係る上衣５１の襟元を裏側から見た図を示す。本実施形態に係る上衣５１は、Ｖ首の襟形状であり、前身頃５３と、襟部５８と、保持部材５４とを備えている。保持部材５４は、Ｖ字状の襟部５８の内面のうち、当該Ｖ字状の襟部５８の先端部を除いた部分に重ね合わされている。そして、保持部材５４を、襟部５８のＶ字状の先端部を除き、襟部５８と前身頃５３との境界部分に沿って当該境界部分に縫い付けることによって、襟部５８と保持部材５４との間に、入口側開口部５６及び出口側開口部５７を有し、眼鏡のテンプル等が挿通可能な挿通孔が形成されている。さらに、入口側開口部５６と比べて出口側開口部５７が狭くなっている。尚、出口側開口部５７は、眼鏡のテンプル等の被保持物を挿入可能な大きさを有していれば良く、入口側開口部５６は、被保持物の挿入をしやすい大きさを有していれば良い。また、保持部材５４の材質は、具体例として、布や弾性のある平ゴムを用いることができるが、特に限定されるものではない。
【００２６】
このようにして設けた襟部５８と保持部材５４との間の開口部に眼鏡のテンプルを差し込むことによって、他の実施形態と同様に、眼鏡のテンプルの先セルを安定に保持することができる。特に、保持部材５４の材料として、平ゴム等の弾性力のある材料を用いる場合、第２の実施形態と同様に出口側開口部５７近傍の材料が伸縮自在であるので、出口側開口部５７を被保持物の外径と同じかより狭くすることによって、被保持物の挿入を妨げることなく、より安定して被保持物を保持することが可能となる。また、保持部材５４は、平ゴムの弾性力により、眼鏡を開口部に差し込んでいない状態においてもＶ首部分側の入口側開口部５６が開いた状態となるため、眼鏡のテンプル等の挿入がしやすくなっている。また、保持部材５４は、平ゴムの弾性力により、眼鏡のテンプル等を引き抜いたときに、保持部材５４が裏返った状態になることを防止することができるため、次に眼鏡を保持部材５４に保持させる際に、保持部材５４に裏返りを手で直す等の作業が不要となり、眼鏡等の着脱を繰り返した場合でも、着脱の容易さが維持される。また、保持部材５４は、襟部５８の裏側に設けられ、襟部５８と前身頃５３との境界に沿って縫い付けられているため、眼鏡を保持部材５４に引っ掛けていない状態においても、保持部材５４そのものや保持部材５４の縫い目が外見上見えることがないため、上衣５１のデザイン性を損なわない。
【００２７】
尚、本実施形態では、Ｖ字状の襟部５８の裏側に保持部材５４が取り付けられているが、保持部材５４を設ける方法や上衣の襟形状は特に限定されるものではない。例えば、Ｕ首や丸首の襟形状の上衣において、襟部の裏側に、帯状の部材を縫い付けることによって保持部材５４を構成しても良い。Ｕ首や丸首の上衣では、Ｖ首の場合のように、襟形状を利用して入口側開口部及び出口側開口部を形成することが困難であるので、保持部材５４を襟部の内側の布や前身頃に直接縫い付け、この縫い目の形状によって入口側開口部及び出口側開口部を形成すればよい。
【００２８】
尚、上記の各実施形態において、保持部材４、３４、５４の形態を特定しているが、被保持物を挿入するのに十分な大きさの入口側開口部と、被保持物を安定に保持できる出口側開口部とを有する挿通孔が形成されれば、保持部材の材質、縫い方、上衣への取り付け方は任意で良い。
【００２９】
また、各実施形態において設けた保持部材４、３４あるいは５４を上衣のほかに、鞄などに設けてもよい。
【００３０】
本発明によれば、上衣のデザイン性を損なわずに眼鏡等を安定的に保持できる上衣を提供することができる。
【産業上の利用可能性】
【００３１】
本発明は、眼鏡等を挿入して保持できるシャツ等の上衣に有用である。
【符号の説明】
【００３２】
１、３１、５１    上衣
２    眼鏡
３、３３、５３    前身頃
４、３４、５４    保持部材
５、３５    縫い付け糸
６、３６、５６    入口側開口部
７、３７、５７    出口側開口部
８、３８、５８    襟部
【図１】
0006055207.tif 000002
【図２】
0006055207.tif 000003
【図３】
0006055207.tif 000004
【図４】
0006055207.tif 000005
【図５】
0006055207.tif 000006